(57)【要約】      （修正有）【課題】ラップフイルムを安全かつ確実に切断する事、ラップフイルムの巻き戻りと自己の再付着を防止する事、又フイルムの端を容易に引き出せる事の３件ができる食品用ラップフイルムケースを提供する。【解決手段】ラップフイルム切断用平面鋸刃１の刃先約１ｍｍを９０度程度曲げて、ケース蓋Ａの端に取り付ける。また、ケース開口部の両端に夫々一辺を接続された２つの端部プロテクタと、ケース蓋が接続された長軸の中央部に中央部プロテクタを設ける。さらに、中央部プロテクタの先端に、復元力のある樹脂製の押し棒と、ケース蓋が接続されていない長軸の中央部に、復元力のある樹脂製の板を設置する。【選択図】図１
0003189916.tif 000002
【実用新案登録請求の範囲】
【請求項１】
ラップフイルム切断用の平面鋸刃の先端、約１ｍｍを９０度程度曲げたものを切断用鋸刃として使用する。（図１）
【請求項２】
ラップフイルム巻戻り防止と自己再付着防止用プロテクターを３個設ける。（図２）
【請求項３】
ラップフイルムの端を押し上げる為の復元力のある樹脂製板と、押し上げ過ぎない為の復元力のある樹脂製押棒を２点設置する。（図３）
【考案の詳細な説明】
【技術分野】
【０００１】本考案は食品ラッピングに使う、ラップフイルム用ケースに関するものである。
【背景技術】
【０００２】食品用ラップフイルムケースの重要な役割は安全に切断出来る事、確実・容易に切れる事、又フイルムの巻き戻りや、自己再付着によりフイルム端が取り出し難くならぬ事の３件である。しかし現在市販されている製品はこの３要件を十分には満足していない。
【考案の概要】
【考案が解決しようとする課題】
【０００３】食品用ラップフイルムを安全に切断し、且つ確実・容易に切断し、又フイルム端を簡単に取り出す事のできる食品用ラップフイルムケースを提案する。
【課題を解決する為の手段】
【０００４】１  ラップフイルム切断用平面鋸刃の先端数ミリメートルを約９０度程度曲げたものを使用する。（図１）
２  ラップフイルムの巻き戻り防止と自己再付着防止の為のプロテクタ３点を設置する。（図２）
３  ラップフイルムの端を押し上げる為の復元力のある樹脂製の板と、押し上げ過ぎ防止用の復元力のある樹脂製の棒２点を設置する。（図３）
【考案の効果】
【０００５】１  ラップフイルム切断時に鋸刃で指等を損傷する危険性が少なくなる。（図１）
２  現状の製品は平行状態のラップフイルムと平面鋸刃先を９０度回転させて切断している。
本考案製品は固定された状態のラップフイルムと鋸刃先は直角になっているので、そのまま押し下げれば容易、確実に切断できる。（図１）
３  設置した３点のプロテクタに依りラップフイルムのケース内への巻戻りと自己再付着防止の結果スムーズなフイルム引き出し作業が可能となる。（図２）
４  フイルム押し上げ板と押し上げ過ぎ防止棒に依り、常に空中の一定点でフイルム端を取り出せ、スムーズな引き出し作業が可能となる。（図３）
【図面の簡単な説明】
【０００６】
【図１】本考案の斜視図である。▲Ａ▼→▲１▼→ラップフイルム→▲Ｂ▼の順である。
【図２】本考案の斜視図である。▲２▼・▲３▼・▲４▼→ラップフイルム→▲Ｂ▼の順、
【図３】本考案の斜視図である。▲６▼→ラップフイルム→▲５▼→▲Ｂ▼となる。
【図４】本考案の側面図である。
【符号の説明】
【０００７】▲１▼  ラップフイルム切断用９０度鋸刃。
▲２▼  ラップフイル巻き戻りと自己再付着防止用プロテクタ。
▲３▼  同上。
▲４▼  同上。
▲５▼  ラップフイルム固定用ステイ。
▲６▼  同上。
▲Ａ▼  ラップフイルムケースの蓋の表面。切断用９０度鋸刃との間に９０度を保持している。
▲Ｂ▼  ラップフイルムケースの蓋が閉まった時に、切断用９０度鋸刃の刃先が接触する面である。
【考案を実施する為の形態】
【０００８】（図１）に示す様に９０度曲がった鋸刃（１）を使用している、又（図２）に示す様にラップフイルムの巻き戻り防止と自己再付着防止用  のプロテクタ３点（▲２▼・▲３▼・▲４▼）を有し、
（図３）に示す様にラップフイルムの端を取り出し易い様に空中の定点に保持する為のステイ２点（▲５▼・▲６▼）を有する食品ラップフイルムケースである。
【実施例】
【０００９】  （図４）に示す様に９０度曲がり鋸刃を設置使用すると、フイルムが刃に引っかかる恐れがある為、同じ高さのカートンを箱の蓋の裏側に、刃と数ミリ空けて貼りつけてある。これはフイルムを刃で損傷するのを防ぐと同時に、スムーズなフイルムの引き出しを計るものである。
２  図２の１と２は通常の耳より長くなっている。これはフイルムが上がって来るのを防ぐ為だけでなく、折り返しに依る自己再付着を防止する為である。
３  図３のステイ（▲５▼・▲６▼）はフイルム端を繰り返し空中の定位置に保持する為のものである。
現状製品の様にフイルム端が箱に貼りついたり、フリー状態になり、取り出し難い状態になるのを防ぐ為のものである。
【産業上の利用の可能性】
【００１０】現在市販されている食品用ラップフイルムケースは切断用鋸刃が水平な為、安全性に欠けている。
又切断毎に手首を９０度回して、フリーな状態のフイルムを切断する為、確実容易に切れるとは言い難い。
巻き戻り防止機構や自己再付着防止機構が十分でなく、フイルム端の取り出し位置も適正とは言い難い。その為多くのユーザーが苦労し、途中で破棄されるフイルムも少なくない。
ここに提案する安全ラップフイルムケースはこれ等の諸課題を解決し製造販売側にも、ユーザー側にとっても利益を得るものと確信する。
【図１】
0003189916.tif 000003
【図２】
0003189916.tif 000004
【図３】
0003189916.tif 000005
【図４】
0003189916.tif 000006
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
食品用ラップフイルムを安全且つ確実に切断する事を目的とし、ラップフイルム切断用平面鋸刃の刃先約１ｍｍを９０度程度曲げたものを切断用鋸刃として使用し、ケース蓋の端に取り付けた事を特徴とする安全ラップフイルムケース。
【請求項２】
請求項１に記載する安全ラップフイルムケースの効果を十分に発揮する為、ラップフイルムの巻戻り防止と自己再付着防止の為のプロテクタ３点を設ける必要がある。
安全ラップフイルムケースの蓋を左側に開くと、下側に円筒状に巻かれたラップフイルムを収納した長方形の箱があり、この箱の長軸方向の両端に夫々一辺を接続された４ｃｍ×４ｃｍ程度の紙製の四辺形を設ける。これがプロテクタである。又長軸の中央部に左端を固定した１ｃｍ×５ｃｍ程度の樹脂製板が設けてある。これがもう一つのプロテクタである。
ラップフイルムの巻戻り防止と自己再付着防止の為のプロテクタ３点を有する事を特徴とする請求項１記載の安全ラップフイルムケース。
【請求項３】
請求項１に記載する安全ラップフイルムケースの効果を十分に発揮する為のもう一つの条件として、切断後円筒側に残ったフイルムの端が常に取り出し易い定位置にある事が要求される。
これを実現する為に復元力のある樹脂製の押棒とＶ字型の板（ステイ）が必要となる。
これ等ステイは安全ラップフイルムケースの蓋を閉じたときに、切断刃の刃先が直角に当たる面の長軸方向の中央部左寄り（蓋の開く方向）に設置する。樹脂製押し棒は請求項２記載の中央部プロテクタ１ｃｍ×５ｃｍの先端に続いており１ｃｍ×４ｃｍ程度である。樹脂製のＶ字型をした板は曲った部分を左寄りに、その一辺は下平面に長軸とは直角に固定されている。１ｃｍ×３ｃｍ程度である。
ラップフイルムは押棒で押し下げられ、板で持ち上げられ両方のステイ間を通過しながら、平面に対し約４５度の空中の定位置で取り出し可能となる。
復元力のある樹脂製の押棒とＶ字型板のステイを有する事を特徴とする請求項１記載の安全ラップフイルムケース。
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
ラップフイルム切断用平面鋸刃の刃先約１ｍｍを９０度程度曲げたものを切断用鋸刃として使用し、ケース蓋の端に取り付けた事を特徴とする安全ラップフイルムケース。
【請求項２】
ケースの開口部の両端に夫々一辺を接続された２つの端部プロテクタと、前記ケースの、ケース蓋が接続された長軸の中央部に固定した中央部プロテクタとを有する事を特徴とする請求項１記載の安全ラップフイルムケース。
【請求項３】
前記中央部プロテクタの先端に設置した、復元力のある樹脂製の押し棒と、前記ケース蓋が接続されていない長軸の中央部に設置した、復元力のある樹脂製の板とを有する事を特徴とする請求項２記載の安全ラップフイルムケース。